(57)【要約】【課題】従来よりも小型化及び部品点数の削減化が図れる押釦スイッチを提供すること。【解決手段】内壁面２１に山部２１Ａが設けられたベース２と、トップケースの挿入孔  に嵌挿されるスライダとスライダに設けられるとともに内壁面２１上を摺動する可動接触子とからなる押釦部とからなり、可動接触子は、固定接点部と摺接する可動接点部と、山部上を摺動することにより使用者に対しクリック感を付与するクリック片とから形成する。【選択図】図６
2009129818.tif 000002
【特許請求の範囲】
【請求項１】
内壁面を有するベースと、該ベースに接続されるトップケースと、該ベースに設けられた固定接触子と、上記ベースと上記トップケースとの間に設けられるとともに上記ベースに対し押込み動可能に設けられた押釦部とを有する押釦スイッチであって、
上記トップケースには上記押釦部を嵌挿する挿入孔が設けられており、
上記内壁面には山部が設けられており、
上記押釦部は、上記挿入孔に嵌挿されるスライダと、該スライダに設けられるともに上記内壁面上を摺動する可動接触子とからなり、
上記固定接触子は、上記ベースの外部に突出された複数の端子部と、上記ベースの内底面に立設されるとともに上記可動接触子と摺接する固定接点部とからなり、
上記可動接触子は、上記固定接点部と摺接する可動接点部と、上記山部上を摺動することにより使用者に対しクリック感を付与するクリック片とからなること
を特徴とする押釦スイッチ。
【請求項２】
上記可動接触子は、上記固定接点部を２つと、これら固定接点部との間に設けられたクリック片とを３つ叉状に設けることを特徴とする請求項１に記載の押釦スイッチ。
【請求項３】
上記トップケースには、上記スライダをガイドするガイド部を有することを特徴とする請求項１あるいは２に記載の押釦スイッチ。
【請求項４】
上記固定接触子は、上記ベースにインサート成形されることを特徴とする請求項１〜３いずれか1項に記載の押釦スイッチ。
【請求項５】
上記押釦部を押し戻し可能な弦巻バネを有し、
上記スライダには上記弦巻バネを嵌挿する凹部を有し、
上記ベースの内底面には上記弦巻バネを立設支持可能な凸部を有すること
を特徴とする請求項１〜４いずれか１項に記載の押釦スイッチ。
【発明の詳細な説明】
【技術分野】
【０００１】
本発明は、押釦スイッチに関し、特に、部品点数の削減化及び小型化を図れる押釦スイッチに関する。
【背景技術】
【０００２】
従来、押釦スイッチとしては、例えば、特許文献１に記載されたものがある。同文献１の押釦スイッチ（１）は、自動車のシフトレバー（Ｓ）のグリップ（Ｇ）に装備されるオーバードライブスイッチであり、ベース（２）、スライダ（３）、可動接触子（４）、クリック片（５）、押釦（６）、トップケース（７）固定接触子（８）及びコイルスプリング（９）の各部品を備えて構成されている。上記カッコ内の符号は特許文献１で用いられている符号であり、以下も同様である。
【０００３】
この押釦スイッチ（１）は、スイッチ操作時に生ずるガタ付きを防止することにより安定したスイッチ動作を図り、同時にスイッチ自体の小型化も図れるものとして本出願人が開発したものであるが、産業界からの更なる小型化の要請や、作業効率の向上を図るためには更なる改良が必要であった。
【０００４】
【特許文献１】特開２００６−３３９０７９号公報
【発明の開示】
【発明が解決しようとする課題】
【０００５】
本発明はこのような事情に鑑みてなされたものであり、その目的とするところは、更なる小型化及び部品点数の削減化が図れる押釦スイッチを提供することにある。
【課題を解決するための手段】
【０００６】
上記目的を達成するため、本発明は、内壁面を有するベースと、該ベースに接続されるトップケースと、該ベースに設けられた固定接触子と、上記ベースと上記トップケースとの間に設けられるとともに上記ベースに対し押込み動可能に設けられた押釦部とを有する押釦スイッチであって、上記トップケースには上記押釦部を嵌挿する挿入孔が設けられており、上記内壁面には山部が設けられており、上記押釦部は、上記挿入孔に嵌挿されるスライダと、該スライダに設けられるともに上記内壁面上を摺動する可動接触子とからなり、上記固定接触子は、上記ベースの外部に突出された複数の端子部と、上記ベースの内底面に立設されるとともに上記可動接触子と摺接する固定接点部とからなり、上記可動接触子は、上記固定接点部と摺接する可動接点部と、上記山部上を摺動することにより使用者に対しクリック感を付与するクリック片とからなることを特徴とする。
【０００７】
上記可動接触子は、上記固定接点部を２つと、これら固定接点部との間に設けられたクリック片とを３つ叉状に設けるように構成してもよい。
【０００８】
上記トップケースには、上記スライダをガイドするガイド部を有するようにしてもよい。
【０００９】
上記固定接触子は、上記ベースにインサート成形されるようにしてもよい。
【００１０】
上記押釦部を押し戻し可能な弦巻バネを有し、上記スライダには上記弦巻バネを嵌挿する凹部を有し、上記ベースの内底面には上記弦巻バネを立設支持可能な凸部を有するようにしてもよい。
【発明の効果】
【００１１】
上述した構成から明らかなように、本発明に係る押釦スイッチによれば、可動接触子を、固定接点部と摺接する可動接点部と、山部上を摺動することにより使用者に対しクリック感を付与するクリック片とから形成した。すなわち、従来とは異なり、クリック片を別部材とするのではなく、可動接触子に一体として設けるように構成した。これにより、部品点数の削減及び小型化が図れ、その結果として作業効率の向上も図れる。
【発明を実施するための最良の形態】
【００１２】
以下、本発明を実施するための最良の形態について、添付した図面を参照しながら説明する。なお、本実施形態においては、押釦部は、スライダと可動接触子とから構成されている。
【００１３】
図１は、本発明の押釦スイッチのベースを示す図であり、（ａ）は上面図、（ｂ）は断面図、（ｃ）は底面図である。図２（ａ）は、本発明の押釦スイッチの固定接触子の製造工程を説明するための平面図、（ｂ）はベースに固定接触子をインサート成形する手順を説明するための平面図である。図３は、スライダを示す図であり、（ａ）は上面図、（ｂ）は側面図、（ｃ）は底面図、（ｄ）は断面図、（ｅ）は正面図である。図４は、可動接触子を示す図であり、（ａ）は背面図、（ｂ）は正面図、（ｃ）は底面図、（ｄ）は側面図である。図５は、トップケースを示す図であり、（ａ）は上面図、（ｂ）は正面図、（ｃ）は断面図、（ｄ）は左側面図、（ｅ）は右側面図である。図６は、本発明の押釦スイッチの組立て手順を説明する説明図である。図７は、本発明の押釦スイッチを示す図であり、（ａ）は上面図、（ｂ）は正面図、（ｃ）は側面図である。
【００１４】
本発明の押釦スイッチは、例えば、オートマチック・トランスミッション車（ＡＴ車）のシフトレバーに用いるものであり、より具体的には、シフトレバーのグリップに装備されるオーバードライブスイッチである。このオーバードライブスイッチを押下することにより、軽負荷運転時や高速運転時の車両の燃費を向上させるオーバードライブギヤへの切り換えが可能となる。以下に、まず、本発明の押釦スイッチの構成について説明する。
【００１５】
図６に示すように、本発明の押釦スイッチ１は、ベース２と、ベース２に嵌合接続されるトップケース５と、ベース２とトップケース５との間に弦巻バネ６を介して配置される押釦部とからなる。
【００１６】
図１及び図２に示すように、ベース２の内壁面２１には山部２１Ａが、内底面２２には凸部２２Ａが、外表面にはトップケース５を係止するための係止爪２３、２３がそれぞれ設けられている。内底面２２には２つの端子７１２、７１２を有する固定接触子７１Ａ、７１Ｂがインサート成形により設けられている。
【００１７】
具体的には、まず、リン青銅材や黄銅材などの平帯状（フープ状）の金属材料を切断・突き出し・折り曲げ加工することにより、図２（ａ）に示すような固定接触子基材７、すなわち、固定接触子７１Ａ、７１Ｂがそれぞれ図２（ａ）に示すように連接されてなる固定接触子基材７を製造する。なお、この際に、折り曲げ成形することにより固定接点部７１１が形成される。
【００１８】
次に、図２（ｂ）に示すように、ベース２を樹脂成形する際に固定接触子基材７を内底面２２にインサート成形し、その後、所定箇所（図２（ｂ）中“ＣＵＴ”部分）を切断する。すると、図１（ａ）に示すように、一対の固定接触子７１Ａ、７１Ｂがベース２の内底面２２に、端子７１２、７１２、・・・を外部に突出した状態でセットされる。
【００１９】
スライダ３は、図３に示すように構成されており、具体的には、可動接触子４を嵌合接続するための嵌合部３１と、弦巻バネ６を挿入する凹部３２と、トップケース５のガイド部５３と連携してスライダ３をガイドするためのガイド溝３３を有している。
【００２０】
可動接触子４は、図４に示すように構成されており、具体的には、固定接点部７１１と摺接する可動接点部４１、４１と、可動接点部４１、４１間に配置され山部２１Ａ上を摺動することにより使用者に対しクリック感を付与するクリック片４２とが３つ叉状に設けられている。従来、すなわち、本出願人が以前出願した上記特許文献１に記載した押釦スイッチにおいては、可動接触子とクリック片とは別々の部材により構成されていたが、本発明に用いられる可動接触子４は、上記のように、可動接点部４１、４１と、クリック片４２とを同一の部品に形成するように構成している。これにより、従来に比べ部品点数が少なくなり、その結果、組立て作業の軽減化及び押釦スイッチ自体の小型化を図ることができる。
【００２１】
トップケース５は、図５に示すように構成されており、具体的には、スライダ３を挿入するための挿入孔５１と、ベース２と嵌合させるための嵌合孔５２、５２と、スライダ３をガイドするガイド部５３とを有している。従来においては、押釦スイッチの内部に存する固定軸と可動軸とにより押釦部をガイドするように構成していたので（特許文献１の図４参照）、固定軸の高さ分だけ高さが必要であったが、本発明のようなガイド構造とすることにより、この固定軸が不要となり、その結果、押釦スイッチ自体の小型化を図ることができる。
【００２２】
次に、このように構成された各部品の組立て工程について図６を参照して説明する。なお、組立て工程については、以下にその一例を示すがこれに限定されるものではない。
【００２３】
ベース２の凸部２２Ａに弦巻バネ６の一端を嵌挿し弦巻バネ６をベース２上に立設支持し、一方、スライダ３の嵌合部３１に可動接触子４を嵌合接続し押釦部を形成する。次に、スライダ３の凹部３２に上記立設した弦巻バネ６の他端を挿入し、弦巻バネ６の上に押釦部を載置する。この状態で、スライダ３の上方からトップケース５を覆い被せる。この際、スライダ３の頭頂部３４をトップケース５の挿入孔５１に挿入するとともに、ガイド部５３をガイド溝３３に嵌挿させ、ベース２の係止爪２３、２３にトップケース５の係止孔５２、５２を係止すると、図７に示すような押釦スイッチ１が完成する。このとき、弦巻バネ６の付勢力によりスライダ３は押し上げられ、トップケース５の内側に付勢されている。
【００２４】
次に、押釦スイッチ１の動作状態について図８を参照して説明する。図８（ａ）はＯＦＦ状態、（ｂ）はＯＮ状態をそれぞれ示す。
【００２５】
図８（ａ）に示すように、ＯＦＦ状態においては、可動接点部４１、４１は固定接点部７１１とは接触しておらず、クリック片４２は山部２１Ａの裾野付近に位置している。また、可動接点部４１、４１も、クリック片４２もともにベース２の内壁面２１を付勢している。
【００２６】
この状態から、スライダ３の頭頂部３４を押下すると、スライダ３がトップケース５のガイド部５３にガイドされながら下降する。すると、可動接点部４１、４１は固定接点部７１１、７１１に対し摺接し固定接点部７１１、７１１間が導通する。一方、クリック片４２は、山部２１Ａ上を一方の裾野から頂上を乗り越え他方の裾野へと摺動する。この際、使用者に対しては、クリック感が付与される。
【００２７】
このように、本発明の押釦スイッチにおいては、可動接触子を、固定接点部と摺接する可動接点部と、山部上を摺動することにより使用者に対しクリック感を付与するクリック片とから形成した。すなわち、従来とは異なり、クリック片を別部材とするのではなく、可動接触子に一体として設けるように構成した。これにより、部品点数の削減及び小型化が図れ、その結果として作業効率の向上も図れる。
【図面の簡単な説明】
【００２８】
【図１】本発明の押釦スイッチのベースを示す図であり、（ａ）は上面図、（ｂ）は断面図、（ｃ）は底面図である。
【図２】（ａ）は本発明の押釦スイッチの固定接触子の製造工程を説明するための平面図、（ｂ）はベースに固定接触子をインサート成形する手順を説明するための平面図である。
【図３】本発明の押釦スイッチのスライダを示す図であり、（ａ）は上面図、（ｂ）は側面図、（ｃ）は底面図、（ｄ）は断面図、（ｅ）は正面図である。
【図４】本発明の押釦スイッチの可動接触子を示す図であり、（ａ）は背面図、（ｂ）は正面図、（ｃ）は底面図、（ｄ）は側面図である。
【図５】本発明の押釦スイッチのトップケースを示す図であり、（ａ）は上面図、（ｂ）は正面図、（ｃ）は断面図、（ｄ）は左側面図、（ｅ）は右側面図である。
【図６】本発明の押釦スイッチの組立て手順を説明する説明図である。
【図７】本発明の押釦スイッチを示す図であり、（ａ）は上面図、（ｂ）は正面図、（ｃ）は側面図である。
【図８】本発明の押釦スイッチの動作状態を説明する断面図であり、（ａ）はＯＦＦ状態、（ｂ）はＯＮ状態を示す。
【符号の説明】
【００２９】
１    押釦スイッチ
２    ベース
２１  内壁面
２１Ａ  山部
２２  内底面
２２Ａ  凸部
３  スライダ
３１  嵌合部
３２  凹部
３３  ガイド溝
３４  頭頂部
４  可動接触子
４１  可動接点部
４２  クリック片
５  トップケース
５１  挿入孔
５２  係止孔
５３  ガイド部
６  弦巻バネ
７  固定接触子基材
７１Ａ、７１Ｂ  固定接触子
７１１  固定接点部
７１２  端子
【図１】
2009129818.tif 000003
【図２】
2009129818.tif 000004
【図３】
2009129818.tif 000005
【図４】
2009129818.tif 000006
【図５】
2009129818.tif 000007
【図６】
2009129818.tif 000008
【図７】
2009129818.tif 000009
【図８】
2009129818.tif 000010